(57)【要約】  二次電池セルと回路基板とを一体構造としながら、機械的強度を高める。種々の外形や大きさに設計変更しながら安価に多量生産する。  電池パックは、端子面（１Ｘ）を有する薄型の二次電池セル（１）と、保護回路を実装した回路基板（５）と、二次電池セル（１）と回路基板（５）を収納するホルダーケース（２）と、回路基板（５）をインサート成形してなる樹脂モールド部（４）とを備えている。ホルダーケース（２）は、二次電池セル（１）が配置される電池配置領域（２１）と、回路基板（５）が配置される基板配置領域（２２）とを同一平面に有している。回路基板（５）は、電池配置領域（２１）に配置される二次電池セル（１）の端子面（１Ｘ）に近接するように基板配置領域（２１）に配置されている。電池パックは、電池配置領域（２１）に配置された二次電池セル（１）の端子面（１Ｘ）の一部または全体と、基板配置領域（２２）に配置された回路基板（５）が絶縁成形樹脂に埋設されて樹脂モールド部（４）が形成されている。
2017104108.tif 000002
【特許請求の範囲】
【請求項１】
外形を幅よりも厚さが小さい角型とし、端子面を有する薄型の二次電池セルと、
前記二次電池セルと電気的に接続され、保護回路を実装した回路基板と、
前記二次電池セルと前記回路基板を収納するホルダーケースと、
前記ホルダーケースに収納された前記回路基板をインサート成形してなる樹脂モールド部と
を備え、
前記ホルダーケースは、
前記二次電池セルが配置される電池配置領域と、
前記回路基板が配置される基板配置領域とを同一平面に有しており、
前記回路基板が、前記電池配置領域に配置される該二次電池セルの前記端子面に近接するように前記基板配置領域に配置されると共に、
前記電池配置領域に配置された該二次電池セルの端子面の一部または全体と、前記基板配置領域に配置された該回路基板が絶縁成形樹脂に埋設されて前記樹脂モールド部が形成されてなることを特徴とする電池パック。
【請求項２】
請求項１に記載の電池パックであって、
前記二次電池セルを複数備えており、
前記ホルダーケースの両端部に前記電池配置領域を配置すると共に、対向する該電池配置領域の間に前記基板配置領域を配置してなる電池パック。
【請求項３】
請求項１または２に記載の電池パックであって、
前記基板配置領域は、前記回路基板が配置されて、前記樹脂モールド部が形成される樹脂成形領域と、前記樹脂モールド部が形成されない中空領域を備えており、前記樹脂成形領域と前記中空領域とを区画壁で区画してなる電池パック。
【請求項４】
請求項１から３のいずれか一に記載の電池パックであって、
前記電池配置領域が、前記二次電池セルを収納するフレーム部を、該二次電池セルの外周に沿って備えており、
前記フレーム部と該二次電池セルとを外装シートで被覆して固定してなる電池パック。
【請求項５】
請求項１から４のいずれか一に記載の電池パックであって、
前記基板配置領域に、絶縁成形樹脂を注入するための樹脂注入ガイドを形成してなる電池パック。
【請求項６】
請求項１から５のいずれか一に記載の電池パックであって、
前記樹脂モールド部の表面に、複数列の溝部が形成されてなる電池パック。
【請求項７】
請求項６に記載の電池パックであって、
前記複数列の溝部が、前記樹脂モールド部にインサートされる前記回路基板の長手方向に沿って互いに平行に形成されてなる電池パック。
【請求項８】
請求項１から７のいずれか一に記載の電池パックであって、
前記ホルダーケースが、耐熱温度を７０℃以上とする樹脂で成形されると共に、
前記樹脂モールド部を形成する絶縁成形樹脂が、７０℃以下において溶融状態にある熱可塑性樹脂である電池パック。
【発明の詳細な説明】
【技術分野】
【０００１】
本発明は、薄型の二次電池セルと回路基板を同一平面に配置して、一体構造に連結してなる電池パックに関する。
【背景技術】
【０００２】
ノート型パソコンやスレート型ＰＣ（いわゆるタブレット）など、薄型の携帯機器の普及と共に、その電源として、充放電可能な薄型の二次電池セルを備える電池パックが求められている。二次電池セルを内蔵する電池パックは、保護回路を設け、この保護回路で電池を保護しながら充放電することで、安全性を向上でき、また劣化を防止して寿命を長くできる。このことを実現する電池パックは、保護回路を実装する回路基板を備えている。この電池パックは、薄型の二次電池セルと回路基板とを同一平面に配置して一体構造とすることで全体をコンパクトにできる。【０００３】
このような電池パックとして、本願出願人は、先に低温成形樹脂で複数の電池セルを繋いだ形状の電池パックを開発した（特許文献１参照）。この電池パックは、対向する二次電池セルの間に、電池の保護回路を実装してなる回路基板を配置し、この回路基板を低温成形樹脂に埋設することで、複数の二次電池セルと回路基板とを一体的に連結しながら回路基板や実装部品を絶縁して保護できる特徴が実現できる。【０００４】
ところで、電池パックを収納する携帯機器には、多種多様な形状及び大きさのものがあるため、これ等の携帯機器に装着できるように、電池パックの外形や大きさにも種々の設計変更が求められることがある。例えば、外形の大きな携帯機器に装着される電池パックは、携帯機器の外形に沿うように全体の外形を大きくする構造が求められることがある。このような場合、外形が特定されている二次電池セルではなく、二次電池セルを繋ぐ部分、すなわち、回路基板等を配置する領域を調整することで全体の大きさが調整される。ただ、複数の二次電池セル同士を直接に低温成形樹脂で繋ぐ構造では、樹脂成形された部分が大きくなると、接続部分の機械的強度が不十分となることがある。また、多くの低温成形樹脂が必要となり、コストが高くなるという問題もあった。
【先行技術文献】
【特許文献】
【０００５】
【特許文献１】特願２０１４−２０１５８３号
【発明の概要】
【発明が解決しようとする課題】
【０００６】
本発明は、従来のこのような背景に鑑みてなされたものである。本発明の一の目的は、二次電池セルと回路基板とを一体構造としながら、機械的強度を高めた電池パックを提供することにある。
さらに、本発明の他の目的は、簡単かつ容易に種々の外形や大きさに設計変更しながら、しかも多量の低温成形樹脂を使用することなく安価に多量生産できる電池パックを提供することにある。
【課題を解決するための手段】
【０００７】
上記の目的を達成するため、本発明の電池パックによれば、外形を幅よりも厚さが小さい角型とし、端子面１Ｘを有する薄型の二次電池セル１と、二次電池セル１と電気的に接続され、保護回路を実装した回路基板５と、二次電池セル１と回路基板５を収納するホルダーケース２と、ホルダーケース２に収納された回路基板５をインサート成形してなる樹脂モールド部４とを備えている。ホルダーケース２は、二次電池セル１が配置される電池配置領域２１と、回路基板５が配置される基板配置領域２２とを同一平面に有している。回路基板５は、電池配置領域２１に配置される二次電池セル１の端子面１Ｘに近接するように基板配置領域２２に配置されている。さらに、電池パックは、電池配置領域２１に配置された二次電池セル１の端子面１Ｘの一部または全体と、基板配置領域２２に配置された回路基板５が絶縁成形樹脂に埋設されて樹脂モールド部４が形成されている。【０００８】
上記構成により、ホルダーケースの定位置に二次電池セルと回路基板とを収納して固定することで、二次電池セルと回路基板とを同一平面に配置しながら一体構造として、機械的強度を高めることができる。とくに、電池パックの外郭全体をホルダーケースで保護することで、高い外装強度を実現して、落下や曲げに対する強度を高くできる。さらに、ホルダーケースの設計時においては、電池配置領域と基板配置領域の配置や基板配置領域の大きさを調整することで、ホルダーケースの外形を種々に変更して、電池パックが装着される電子機器への対応を容易にできる。【０００９】
さらに、この電池パックは、絶縁成形樹脂を使用して回路基板を封止することで、回路基板に実装された電子部品を樹脂モールドして確実に絶縁できる。また、二次電池セルと回路基板との接続部分を樹脂モールドすることで、これ等の連結強度を高めて、落下等の衝撃による断線等を有効に防止できる。さらにまた、電池パックの製造工程においては、電子部品が実装された回路基板と二次電池セルとをホルダーケースに収納することで、全てのパーツを定位置に配置しながら固定できるので、組み立て手間を簡単にして製造コスを低減できる特徴も実現する。以上のように、本発明の電池パックは、ホルダーケースと樹脂モールド部を組み合わせることで、ホルダーケースによる仕様と、絶縁成形樹脂の仕様の特長を生かした理想的な電池パックが実現できる。【００１０】
本発明の電池パックは、二次電池セル１を複数備えて、ホルダーケース２の両端部に電池配置領域２１を配置すると共に、対向する電池配置領域２１の間に基板配置領域２２を配置することができる。上記構成により、複数の二次電池セルと回路基板とを同一平面に配置しながら、これ等を強固に連結できる。【００１１】
本発明の電池パックは、基板配置領域２２が、回路基板５が配置されて、樹脂モールド部４が形成される樹脂成形領域２３と、樹脂モールド部４が形成されない中空領域２４とを備えて、樹脂成形領域２３と中空領域２４とを区画壁３３で区画することができる。上記構成により、基板配置領域を区画壁で区画して、樹脂モールド部が形成される樹脂成形領域を設けることで、絶縁成形樹脂の使用量を少なくして製造コストを低減できる。また、樹脂モールド部が形成されない領域を中空とすることで全体を軽量にできる。【００１２】
本発明の電池パックは、電池配置領域２１が、二次電池セル１を収納するフレーム部２７を二次電池セル１の外周に沿って備えて、フレーム部２７と二次電池セル１とを外装シート８で被覆することができる。上記構成により、二次電池セルの露出部を外装シートで被覆して保護しながら、フレーム部と二次電池セルとを外装シートで強固に連結できる。【００１３】
本発明の電池パックは、基板配置領域２２に、絶縁成形樹脂を注入するための樹脂注入ガイド２９を形成することができる。上記構成により、樹脂注入ガイドを設ける位置を調整することで、樹脂モールド部を樹脂成形する際に、溶融樹脂の流動方向を特定しながら注入できる。【００１４】
本発明の電池ックは、樹脂モールド部４の表面に、複数列の溝部４１を形成することができる。上記構成により、絶縁成形樹脂の使用量を少なくして製造コストを低減できる。また、樹脂モールド部の表面に設けた複数列の溝部によって表面積を広くできるので、樹脂モールド部に埋設される電子部品の発熱を効果的に放熱できる。この構造は、樹脂モールド部のみで二次電池セルを繋ぐ従来の電池セルでは、強度が低下するために実現が難しかった構造であるが、本発明では、ホルダーケースにより電池パックの強度を確保できるため、樹脂モールド部に溝部を設けても強度低下を懸念することなく、樹脂モールド部の放熱特性の向上とコストダウンの両方を実現できる。【００１５】
本発明の電池パックは、複数列の溝部４１を、樹脂モールド部４にインサートされる回路基板５の長手方向に沿って互いに平行に形成することができる。上記構成により、絶縁成形樹脂の注入時においては、樹脂モールド部の表面に複数列の溝を平行に形成するために成形金型に設けた凸条に沿って、溶融状態にある絶縁成形樹脂をスムーズに流動できる。このため、注入される溶融状態の絶縁成形樹脂を、長手方向に延在する回路基板に沿って成形室の奥部まで速やかに、かつ確実に注入できる。【００１６】
本発明の電池パックは、ホルダーケース２を、耐熱温度を７０℃以上とする樹脂で成形し、樹脂モールド部４を形成する絶縁成形樹脂を、７０℃以下において溶融状態にある熱可塑性樹脂とすることができる。上記構成により、溶融状態にある熱可塑性樹脂がホルダーケースに悪影響を及ぼすのを有効に防止できる。
【図面の簡単な説明】
【００１７】
【図１】本発明の一実施形態に係る電池パックの斜視図である。
【図２】図１に示す電池パックを上下反転した斜視図である。
【図３】図２に示す電池パックのＩＩＩ−ＩＩＩ線断面図である。
【図４】図２に示す電池パックのＩＶ−ＩＶ線断面図である。
【図５】図２に示す電池パックの分解斜視図である。
【図６】ホルダーケースに二次電池セルと回路基板と引出線をセットした状態を示す平面図である。
【図７】二次電池セルの一例を示す拡大斜視図である。
【図８】図６に示すホルダーケースのＶＩＩＩ−ＶＩＩＩ線断面図である。
【図９】図６に示すホルダーケースの回路基板と二次電池セルの接続部分を示す拡大斜視図である。
【図１０】回路基板と保護素子の連結構造を示す拡大断面図である。
【図１１】引出線と回路基板との連結構造を示す拡大平面図である。
【図１２】図１１に示す位置決め機構のＸＩＩ−ＸＩＩ線断面図である。
【図１３】位置決め機構の拡大斜視図である。
【図１４】本発明の他の実施形態に係る電池パックの斜視図である。
【図１５】本発明の他の実施形態に係る電池パックの斜視図である。
【発明を実施するための形態】
【００１８】
本発明の一実施形態に係る電池パックを図１〜図６に示す。これ等の図に示す電池パックは、主としてノート型パソコンやタブレット等の薄型の携帯電子機器に装着されて、これ等の機器の電源として使用される。ただ、本発明の電池パックは、薄型の携帯電子機器以外の電気機器に装着して、電源として使用することもできる。
【００１９】
図１〜図６に示す電池パック１００は、薄型の二次電池セル１と、二次電池セル１と電気的に接続され、保護回路を実装した回路基板５と、二次電池セル１と回路基板５を収納するホルダーケース２と、ホルダーケース２に収納された回路基板５をインサート成形してなる樹脂モールド部４とを備えている。図に示す電池パック１００は、２個の二次電池セル１を備えており、これ等の二次電池セル１を対向する姿勢でホルダーケース２の両端部に配置すると共に、対向する二次電池セル１の間に回路基板５を配置して、二次電池セル１と回路基板５とを略同一平面に配置している。（二次電池セル１）
【００２０】
二次電池セル１は、幅よりも厚さが小さい外形であって、全体を薄い形状の角型電池としている。二次電池セル１は、図７に示すように、一面を開口した有底筒状の金属製の外装缶１１と、この外装缶１１の開口を閉塞する封口板１２とを備えている。外装缶１１の開口部は、金属板をプレス加工した平板状の封口板１２により、レーザー溶接でもって密封されている。図に示す二次電池セル１は、外装缶１１の両側を湾曲面としている。ただし、薄型の二次電池セルには、角形電池のみでなく、プラスチック製の外装フィルムの内部に電極を配置しているラミネート電池も使用できる。薄型の二次電池セル１は、厚さ３ｍｍ〜１０ｍｍのリチウムイオン二次電池である。ただし、二次電池セルは、リチウムイオン二次電池以外の非水系電解液二次電池や、ニッケル−水素電池等の充電できる他の全ての二次電池とすることができる。二次電池セル１をリチウムイオン二次電池とする電池パック１００は、全体の電池容量を大きくできる。
【００２１】
二次電池セル１は、封口板１２を端子面１Ｘとして、この端子面１Ｘに正負の電極１０を設けている。図７に示す二次電池セル１は、封口板１２の中央部に、封口板１２と絶縁された凸部電極１３を設けている。この二次電池セル１は、封口板１２に設けた凸部電極１３を第１の電極１０Ａとし、封口板１２を第２の電極１０Ｂとして端子面１Ｘに正負の電極１０を設けている。図の二次電池セル１は、封口板１２の一方の端部にクラッド板１４を固定して、第２の電極１０Ｂを形成している。この二次電池セル１は、クラッド板１４を介して接続リード板１６を確実に接続できる。なお、図に示す二次電池セル１では、凸部電極１３（第１の電極１０Ａ）が負極となり、封口板１２及びクラッド板１４（第２の電極１０Ｂ）が正極となる。
【００２２】
さらに、二次電池セル１は、封口板１２に安全弁１５を設けている。安全弁１５は、電池の内圧が設定圧力よりも高くなるときに開弁して、内部のガス等を排出して、内圧上昇を防止する。ただ、二次電池セルの安全弁は、外装缶に設けてもよい。この場合、封口板を樹脂モールド部で埋設する電池パックは、内部のガス等の排出を外装缶の側面から容易に行うことができる。
【００２３】
さらに、二次電池セル１は、端子面１Ｘに設けた正負の電極１０に、通電のための接続リード板１６を接続している。二次電池セル１は、第１の電極１０Ａである凸部電極１３に接続された第１接続リード板１６Ａと、第２の電極１０Ｂである封口板１２に接続された第２接続リード板１６Ｂを介して回路基板５に接続される。図に示す電池パック１００は、２個の二次電池セル１を回路基板５に接続している。２個の二次電池セル１は、回路基板５上において直列に接続されている。
【００２４】
（回路基板５）
回路基板５は、二次電池セル１の保護回路などを実現する電子部品を実装している。保護回路は、二次電池セル１の温度、電圧、電流などを検出して、充放電の電流をコントロールする。このことを実現する保護回路は、二次電池セル１の電圧を検出する電圧検出回路（図示せず）と、電流を検出する電流検出回路（図示せず）と、二次電池セル１の温度を検出する温度センサ（図示せず）と、二次電池セル１の充放電電流をコントロールするＦＥＴなどの半導体スイッチング素子（図示せず）と、二次電池セル１の温度や過電流を検出して動作する電流遮断素子等の保護素子７とを実装している。回路基板５への保護素子７の実装及びその接続の詳細については後述する。
【００２５】
回路基板５は、エポキシ樹脂製とすることができる。本発明の電池パックでは、ホルダーケース２により全体の強度を高めることができるので、回路基板５には、ガラス繊維等の補強繊維で補強された樹脂を使用することなく低コストに製造できる。ただ、ガラス繊維等で補強されたエポキシ樹脂で製造することもできる。ホルダーケース２に配置される回路基板５は、電池パックに要求される外形や大きさに応じて、その形状や大きさ、及びホルダーケースに配置される姿勢等が決定される。回路基板は、詳細には後述するが、ホルダーケースに形成される基板収納部に配置できる外形となるように形成される。
【００２６】
（ホルダーケース２）
ホルダーケース２は、二次電池セル１と回路基板５とを収納して定位置に配置している。ホルダーケース２は、薄型の二次電池セル１と回路基板５とを同一平面に配置できるように、全体を薄い板状であって、片側面（図２〜図６では上面）に二次電池セル１や回路基板５を収納できる収納開口を有する形状に樹脂で成形している。ホルダーケース２は、樹脂モールド部４を成形する樹脂とは異なる樹脂製であって、好ましくは耐熱性と強度に優れた樹脂、例えば、ポリカーボネートやＡＢＳ等の樹脂で成形される。これ等の樹脂で成形されるホルダーケース２は、耐熱温度を７０℃以上としながら、外形の寸法精度を高めることができる。
【００２７】
ホルダーケース２は、二次電池セル１が配置される電池配置領域２１と、回路基板５が配置される基板配置領域２２とを同一平面に有している。図６に示すホルダーケース２は、２個の二次電池セル１を収納できるように、両端部に電池配置領域２１を設けて、対向する電池配置領域２１の間に基板配置領域２２を設けている。このように、電池配置領域２１と基板配置領域２２を有するホルダーケース２は、基板配置領域２２の大きさを調整することで、ホルダーケース２の外形を容易に変更できる。例えば、二次電池セル１はその規格や容量によりその外形が特定されるため、電池配置領域２１における大きさ等の設計変更は難しいが、基板配置領域２２は高い自由度で設計変形が可能である。したがって、このホルダーケース２は、電池パックに要求される外形を実現するために基板配置領域２２を最適な大きさや形状に設計変形することで、電子機器への対応を容易にできる。さらに、複数の二次電池セルを備える電池パックにおいては、収納する二次電池セルの個数や、電池配置領域と基板配置領域の配置を調整することによっても、ホルダーケースの外形を容易に変更して、電池パックが装着される電子機器への対応を容易にできる。
【００２８】
図６に示すホルダーケース２は、全体の外形を一方向に延在された矩形状としている。このホルダーケース２は、長手方向の両端部に電池配置領域２１を形成すると共に、中間に形成される基板配置領域２２を長手方向に延在された形状として、ホルダーケース２の全長を調整している。この基板配置領域２２には、対向して配置される二次電池セル１の端子面１Ｘに回路基板５の両端が近接するように、長手方向に延在された回路基板５が配置される。
【００２９】
ここで、ホルダーケース２の外形を調整するために、面積を広くする基板配置領域２２においては、配置される回路基板５や樹脂モールド部４を小さくしてコストを下げることが求められる。このことを実現するために、図６に示すホルダーケース２は、基板配置領域２２を、回路基板５が配置されて樹脂モールド部４が成形される樹脂成形領域２３と、樹脂モールド部４が成形されない中空領域２４とに区画している。図に示すホルダーケース２は、基板配置領域２２の中央部であって、対向する二次電池セル１の端子面１Ｘの中央部を繋ぐ領域を樹脂成形領域２３とし、樹脂成形領域２３の両側を中空領域２４としている。樹脂成形領域２３と中空領域２４は、区画壁３３で区画されている。図のホルダーケース２は、基板収納領域２２の中央部に、長手方向に沿って一対の区画壁３３を設けており、対向する区画壁３３の間に回路基板５を収納する基板収納部２６を形成している。
【００３０】
中空領域２４は、格子状に縦横に交差する複数の補強リブ３４を設けて、全体を複数の中空室２８に分割して補強している。このように、基板配置領域２２に中空領域２４を設けて、複数の中空室２８を設ける構造は、ホルダーケース２を軽量にしながら、使用する絶縁成形樹脂を少なくして製造コストを低減できる。図６のホルダーケース２は、基板配置領域２２の両側に中空部２４を設けているが、ホルダーケースは、要求される外形に応じて、中空部の配置や形状、大きさ等を種々に変更できる。ただ、ホルダーケースは、必ずしも基板配置領域に中空領域を設ける必要はなく、基板配置領域全体を基板収納部とすることもできる。例えば、基板配置領域を、全長を短くして幅方向（ホルダーケースの短手方向）に長くする構造においては、中空領域を設けることなく、対向する二次電池セルの間に、短手方向に延在する回路基板を収納する基板収納部を設けることもできる。
【００３１】
図３〜図６に示すホルダーケース２は、矩形状の外周に沿って周壁３０を設けて、内側に二次電池セル１を収納する電池収納部２５と回路基板５を収納する基板収納部２６とを設けている。ホルダーケース２は、図３に示すように、基板配置領域２２の底面となる底面プレート３２を電池配置領域２１の底面となる表面プレート３１よりも高くなる段差構造として、回路基板５が配置される基板収納部２６を電池収納部２５よりも浅く成形している。この構造は、回路基板５をインサート成形する樹脂モールド部４を薄く成形して使用する絶縁成形樹脂の量を少なくできる。さらに、図に示すホルダーケース２は、外周に設けた周壁３０から外側に突出する複数の突出片３８を一体成形して設けている。この突出片３８は、電池パック１００が装着される電子機器に連結するための連結部として使用される。
【００３２】
ホルダーケース２は、電池配置領域２１に、二次電池セル１の外形に沿うフレーム部２７を備えており、このフレーム部２７の内側を電池収納部２５としている。フレーム部２７は、二次電池セル１の端子面１Ｘに沿う保持壁３５と、端子面１Ｘを除く３辺に沿う周壁３０と、二次電池セル１の一方の主面１Ａに沿う表面プレート部３１とを備えている。保持壁３５は、図５に示すように、基板収納部２６と対向する部分をカットして、電池収納部２５と基板収納部２６とを連通させている。表面プレート部３１は、中央部を開口して、二次電池セル１の主面１Ａの外周縁部に沿う四角いリング形状としている。フレーム部２７の周壁３０の高さは、二次電池セル１の厚さとほぼ等しくして、電池収納部２５に二次電池セル１を収納できるようにしている。フレーム部２７の内形は、二次電池セル１の外形とほぼ等しくして、ここに収納される二次電池セル１を定位置に配置できるようにしている。二次電池セル１は、一対の電極１０を設けた端子面１Ｘが基板配置部２２と対向する姿勢となるようにフレーム部２７に収納される。
【００３３】
基板収納部２６は、図８に示すように、対向する一対の区画壁３３と底面プレート３２とで囲まれた空間に形成される。この基板収納部２６は、回路基板５が配置されると共に、溶融された絶縁成形樹脂が内部に充填されて樹脂モールド部４が成形される。図８の基板収納部２６は、連結機構１９を介して回路基板５を定位置に固定している。図に示す連結機構１９は、ホルダーケース２に設けられて回路基板５の両側縁部を係止する係止リブ３６及び係止フック３７と、回路基板５に設けた係止部５６とで構成している。ホルダーケース２は、一方の区画壁３３（図８において右側）に、係止リブ３６として、基板収納部２６の内側に突出する垂直リブ３６ａと水平リブ３６ｂとを設けると共に、この区画壁３３と対向する側に位置して、底面プレート３２から突出する係止フック３７を設けている。水平リブ３６ｂは水平方向に配置されており、底面プレート３２との間に回路基板５の側縁部を挿入できるようにしている。回路基板５は、図５に示すように、係止部５６として、垂直リブ３６ａと対向する位置にスリット凹部５６ａを設けると共に、係止フック３７と対向する位置には係止凹部５６ｂを設けている。この連結機構１９は、スリット凹部５６ａに垂直リブ３６ａを案内して回路基板５の左右方向の位置を特定する。さらに、連結機構１９は、水平リブ３６ｂと底面プレート３２の間に回路基板５の一方の側縁部を挿入すると共に、回路基板５の反対側の側縁部に設けた係止凹部５６ｂに係止フック３７のフック部を係止させて回路基板５を抜けないように定位置に固定する。
【００３４】
さらに、図５と図６に示すホルダーケース２は、基板収納部２６に配置される回路基板５を樹脂モールド部４にインサート成形するために、溶融された絶縁成形樹脂を注入するための樹脂注入ガイド２９を基板配置領域２２に設けている。図５のホルダーケース２は、基板収納部２６の一方の端部（図において左側）と外部とを連通する通路を設けて樹脂注入ガイド２９としている。図５に示す樹脂注入ガイド２９は、対向する通路壁３９によって、中空室２８と区画されている。この構造のホルダーケース２は、樹脂モールド部４の成形時において、基板配置領域２２の開口部側を成形金型（図示せず）で閉塞して基板収納部２６の内部に成形室が形成される。樹脂注入ガイド２９は、周壁３０に注入孔２９ａを開口しており、樹脂注入時において、基板配置領域２２の開口部を成形金型で閉塞する状態で、この注入孔２９ａを外部に表出させるようにしている。
【００３５】
さらに、ホルダーケース２は、基板収納部２６の一方の端部側に設けた樹脂注入ガイド２９に加えて、基板収納部２６の反対側の端部と外部とを連通する第２の樹脂注入ガイドを設けることもできる。この構造は、樹脂モールド部の成形工程において、２箇所から絶縁成形樹脂を注入できるので、絶縁成形樹脂の注入時間を短縮しながら、成形室の隅々まで絶縁成形樹脂を充填できる特長がある。
【００３６】
（樹脂モールド部４）
樹脂モールド部４は、回路基板５、回路基板５に実装された電子部品、及び二次電池セル１の端子面１Ｘの一部または全体を絶縁成形樹脂に埋設して定位置に固定する。樹脂モールド部４は、回路基板５と二次電池セル１とをホルダーケース２の定位置に配置した状態で、ホルダーケース２の収納開口を成形金型（図示せず）で閉塞して成形室を形成し、この成形室に溶融された絶縁成形樹脂を注入して成形される。
【００３７】
樹脂モールド部４は、熱可塑性樹脂を加熱し溶融状態で成形室に注入して成形される。絶縁成形樹脂の熱可塑性樹脂は、低温に加熱して、低圧で成形室に注入して成形できる樹脂、たとえば、ポリアミド樹脂やポリオレフィン系やウレタン系の熱可塑性樹脂を使用する。低温低圧で成形室に注入される樹脂は、二次電池セル１や回路基板５の実装部品に熱による悪影響を及ぼさない特徴がある。成形室に注入される溶融樹脂の温度は、ホルダーケース２の耐熱温度よりも低くすることが好ましく、例えば、７０℃以下とする。ポリオレフィン系の樹脂はポリアミド樹脂に比較して機械的強度が高いので、回路基板５や二次電池セル１をより強固に連結できる特徴がある。ポリアミド樹脂はポリオレフィン系の樹脂に比較して使用温度範囲が−４０℃〜１５０℃と広いので、二次電池セル１が使用中に高温になる場合でも強固に連結できる特徴がある。成形室に注入される溶融された絶縁成形樹脂は、回路基板５を埋設して、二次電池セル１の端子面１Ｘの一部または全体を埋設して、これらを埋設して定位置に固定する。
【００３８】
回路基板５を埋設する樹脂モールド部４は、回路基板５に実装されるＦＥＴなどの半導体スイッチング素子も埋設している。この構造は、半導体スイッチング素子の発熱を樹脂モールド部４に伝導して放熱できる。したがって、樹脂モールド部４は、半導体スイッチング素子等の発熱部材の発熱を吸収して温度上昇を少なくし、さらに吸収した熱エネルギを表面から放熱して、半導体スイッチング素子の温度上昇を小さくする。また、回路基板５と二次電池セル１の端子面１Ｘを樹脂モールド部４に埋設しているので、回路基板５と二次電池セル１の端子面１Ｘとを防水構造にできる特徴もある。
【００３９】
さらに、図２に示す樹脂モールド部４は、表面に複数列の溝部４１を形成している。複数列の溝部４１は、回路基板５の長手方向に沿って設けられている。このように、樹脂モールド部４の表面に複数列の溝部４１を設ける構造は、使用する絶縁成形樹脂の量を少なくして製造コストを低減できる特徴がある。図に示すように、複数列の溝部４１は、例えば、絶縁成形樹脂で樹脂モールド部４を成形する成形室の内面であって、成形金型の表面に複数列の凸条を形成することで実現できる。ここで、図２に示す樹脂モールド部４は、回路基板５の長手方向に沿って複数列の溝部４１が形成されるようにしている。この構造は、図６の矢印Ａで示すように、樹脂注入ガイド２９から供給される溶融状態にある絶縁成形樹脂を、矢印Ｂで示すように、回路基板５の長手方向に沿ってスムーズに流入できる特徴がある。すなわち、成形室に注入される絶縁成形樹脂は、成形金型の表面に形成された複数列の凸条に沿って流動させて注入側の反対側まで充填することができる。これにより、一方向に延長された回路基板５の片側から溶融状態にある絶縁成形樹脂を注入しながら、反対側にまで流動させて成形室の隅々まで充填できる。なお、成形室の端部から溶融樹脂を注入する構造は、回路基板５に引出線６や接続リード板１６を半田付けする際に微細な半田屑が発生して回路基板５上に残存することがあっても、流動される溶融樹脂により成形室の隅部まで押し流すことができるので安全性を向上できる。さらに、表面に複数列の溝部４１を設けている樹脂モールド部４は、表面側の表面積を広くできるので、この部分からの放熱特性を向上して放熱できる特徴も実現できる。ただ、樹脂モールド部は、必ずしも表面に溝部を設ける必要はなく、表面を平面状に成形することもできる。
【００４０】
（保護素子７）
保護素子７は、二次電池セル１の温度を検出して、検出温度が設定温度よりも高くなると電流を遮断し、あるいは、回路に流れる過電流を検出して電流を遮断する素子であって、ブレーカ７１やヒューズ７２、ＰＴＣ等が使用できる。すなわち、本明細書において、保護素子７とは、二次電池セル１の温度上昇や回路に流れる過電流を検出して電流を遮断するブレーカ７１やヒューズ７２、ＰＴＣ等の電流遮断素子を含む広い意味で使用する。図に示す回路基板５は、長手方向における両端部であって、二次電池セル１の端子面１Ｘと対向する位置にブレーカ７１を配置すると共に、回路基板５の中央部の片側にヒューズ７２を配置している。
【００４１】
（ブレーカ７１）
保護素子７であるブレーカ７１は、電池パック１００に内蔵される各二次電池セル１に対して配置されている。図に示す電池パック１００は２個の二次電池セル１を備えているので、２個のブレーカ７１を各々の二次電池セル１に接続している。各ブレーカ７１は、回路基板５の端縁部に実装されており、図５に示すように、二次電池セル１を回路基板５に接続する接続リード板１６を介して、対向する二次電池セル１に直列に接続されている。
【００４２】
ブレーカ７１は、図９と図１０に示すように、外形を角型とする本体部７１Ｘと、この本体部の両端から突出する一対のリード板７１Ａ、７１Ｂとを備えている。図のブレーカ７１は、回路基板５の端縁部に形成された切欠部５１に全体を収納する状態で配置されている。図の回路基板５は、端子面１Ｘと対向する端縁部をコ字状に切り欠いて、ブレーカ７１を回路基板５の両面に表出させる状態で収納する切欠部５１を設けている。このブレーカ７１は、切欠部５１に配置される状態で、本体部７１Ａの表面を、回路基板５の表面と略同一平面に配置している。さらに、切欠部５１に配置されるブレーカ７１は、回路基板５の第１面である裏側面に電気接続されている。このブレーカ７１は、図１０に示すように、回路基板５の第１面において、切欠部５１の両側部から内側に突出して固定された一対の接続プレート５３を介して回路基板５に接続されている。具体的には、ブレーカ７１の一方のリード板７１Ａを第１接続プレート５３Ａに接続すると共に、他方のリード板７１Ｂを第２接続プレート５３Ｂに接続して回路基板５に接続している。接続プレート５３には、例えばニッケル板等の金属板が使用できる。
【００４３】
さらに、回路基板５の裏側面に固定された第１接続プレート５３Ａは、回路基板５の内部に配線された金属パターンである接続ライン５４を介して、回路基板５の第２面である表側面に形成された第１接続ランド５２Ａに電気接続されている。図９に示す回路基板５は、二次電池セル１から引き出された一対の接続リード板１６を接続するために、第２面の端部に一対の接続ランド５２を形成している。二次電池セル１は、第１接続リード板１６Ａが第１接続ランド５２Ａに接続されると共に、第２接続リード板１６Ｂが第２接続ランド５２Ｂに接続されて回路基板５の第２面に電気接続される。この二次電池セル１は、第２の電極１０Ｂ側では、平面電極１４→第２接続リード板１６Ｂ→第２接続ランド５２Ｂの順に通電して、回路基板５のプラス側出力ライン（図示せず）に出力する。また、二次電池セル１は、第１の電極１０Ａ側では、回路基板５のマイナス側出力ライン（図示せず）から供給される電力が、第２接続プレート５３Ｂ→リード板７１Ｂ→ブレーカ７１の本体部７１Ｘ→リード板７１Ａ→第１接続プレート５３Ａ→接続ライン５４→第１接続ランド５２Ａ→第１接続リード板１６Ａ→凸部電極１３の順に通電されて二次電池セル１に入力される。このように、二次電池セル１の負極側である第１の電極１０Ａをブレーカ７１を接続する構造は、保護素子７をグランド側に接続できるので、安全性を確保できる。ただ、ブレーカは二次電池セルの正極側である第２の電極に接続することもできる。
【００４４】
以上の構造は、回路基板５の第１面である裏側面においてブレーカ７１のリード板７１Ａ、７１Ｂを回路基板５に接続し、回路基板５の第２面である表側面において二次電池セル１から引き出された接続リード板１６を回路基板５に接続するので、ブレーカ７１と接続リード板１６とを接近させて配線する状態においても、接続リード板１６とリード板７１Ａ、７１Ｂとが接触してショートするのを確実に阻止できる特長がある。ただ、ブレーカは、必ずしも回路基板に設けた切欠部に配置する必要はなく、回路基板の表面に実装することもできる。このように配置されるブレーカは、例えば、リフロー半田等の方法で簡単に回路基板に実装することができる。
【００４５】
さらに、電池パック１００は、二次電池セル１の発熱を、保護素子７であるブレーカ７１で確実に検出するために、ブレーカ７１の本体部７１Ｘの表面に接続リード板１６を熱結合状態で積層している。図９と図１０に示す構造では、第１の電極１０Ａである凸部電極１３に接続された第１接続リード板１６Ａを、ブレーカ７１の本体部７１Ｘの表面に積層する状態で配置して、ブレーカ７１の本体部７１Ｘと第１接続リード板１６Ａとを熱結合させている。これにより、二次電池セル１の発熱を効果的にブレーカ７１に熱伝導させて、二次電池セル１の温度が設定温度まで上昇すると、この発熱をブレーカ７１で確実に検出して電流を遮断できようにしている。
【００４６】
図に示す第１接続リード板１６Ａは、ブレーカ７１の本体部７１Ｘに対して交差する姿勢で配置されており、第１接続リード板１６Ａの先端部を第１接続ランド５２Ａに接続する状態で、第１接続リード板１６Ａの中間部を、本体部７１Ｘの表面に確実に接触させるようにしている。とくに、図に示すブレーカ７１は、回路基板５に設けた切欠部５１に配置することで、本体部７１Ｘの表面を回路基板５の表側面と略同一平面としている。このため、二次電池セル１の電極１０から引き出された接続リード板１６を回路基板５の表側面に設けた接続ランド５２に接続する状態で、接続リード板１６を理想的にブレーカ７１の本体部７１Ｘの表面に積層させて接触させることができる。
【００４７】
以上の電池パック１００は、二次電池セル１の凸部電極１３に接続された接続リード板１６をブレーカ７１に積層している。このように、二次電池セル１の凸部電極１３に接続された接続リード板１６をブレーカ７１に熱結合させる構造は、二次電池セル内部の発熱を凸部電極１３からブレーカ７１に効果的に熱伝導させてブレーカ７１を確実に動作させることができる。ただ、電池パックは、図示しないが、二次電池セルの封口板に接続された接続リード板をブレーカに積層させて、二次電池セルの発熱を検出することもできる。
【００４８】
（ヒューズ７２）
保護素子７であるヒューズ７２は、直列に接続される二次電池セル１の間に接続されて、過電流が流れる状態で溶断されて電流を遮断する。図６に示すヒューズ７２は、回路基板５の中央部の片側の領域であって、溶融された絶縁成形樹脂が注入される樹脂注入ガイド２９から離れた領域に配置されている。この構造は、図６の矢印Ａ及びＢで示すように、樹脂注入ガイド２９から供給される溶融樹脂の流動距離を長くできるので、溶融樹脂の熱でヒューズ７２が誤って溶断されるのを有効に防止できる。
【００４９】
さらに、図２と図３に示す樹脂モールド部４は、樹脂注入ガイド２９から注入される溶融樹脂が直接にヒューズ７２に当接するのを防止するために、遮蔽溝４２を設けている。この遮蔽溝４２は、溶融樹脂を成形室に注入する状態で、成形金型の内面に突出して設けた遮蔽リブ９９（図６において鎖線で表示）により形成される。図６に示す遮蔽リブ９９は、平面視をコ字状としており、溶融された絶縁成形樹脂の流入側を閉塞して反対側に開口部を配置する姿勢で設けられている。この遮蔽リブ９９により、成形室に供給される絶縁成形樹脂は、直接にヒューズ７２に当接することなく遮蔽リブ９９を迂回する状態でヒューズ７２の周囲まで充填される。このため、溶融状態にある高温の絶縁成形樹脂が直接にヒューズ７２に接触することなく、ある程度、温度が低下した状態でヒューズ７２に接触することでヒューズの誤作動が防止される。ただ、樹脂注入ガイド２９とヒューズ７２の間隔を広くして溶融樹脂の流動距離を長くできる場合には、必ずしも樹脂モールド部に遮蔽溝を設ける必要はない。
【００５０】
（引出線６）
さらに、図１〜図６に示す電池パック１００は、複数の引出線６を回路基板５に接続して、これを樹脂モールド部４から外部に引き出している。引出線６は、正負の電力ラインと信号ラインからなり、電池パック１００をセットする機器のコネクタに直接に接続される。複数の引出線６は、一端を回路基板５に連結すると共に、他端にはコネクタ６９を接続している。引出線６は、一端が回路基板５に接続された状態で、絶縁成形樹脂に埋設されて固定され、回路基板５がインサート成形された樹脂モールド部４から外部に引き出される。複数の引出線６は、図１１に示すように、回路基板５に接続される端部を、位置決め機構６０を介して定位置に配置している。
【００５１】
図１１〜図１３に示す位置決め機構６０は、ホルダーケース２に一体成形して設けている。図に示すホルダーケース２は、基板収納部２６に配置された回路基板５の定位置に複数の引出線６を配置するために、基板収納部２６の外周面であって区画壁３３の一部に位置決め機構６０を設けている。図１１〜図１３に示す位置決め機構６０は、複数の引出線６を平行な姿勢で所定の間隔で配置できるように、互いに平行な姿勢で形成された複数列の櫛状リブ６１を備えており、隣接する櫛状リブ６１の間に引出線６を挿入して定位置に配置する複数列のガイド溝６２を設けている。複数列のガイド溝６２は、各々の引出線６を別々に独立して挿入でき、かつ挿入された引出線６を櫛状リブ６１に沿って移動できるようにしている。
【００５２】
図１３に示す位置決め機構６０は、複数列の櫛状リブ６１を等間隔に並設して複数列のガイド溝６２を等間隔に設けている。この位置決め機構６０は、各々のガイド溝６２に引出線６を挿入して、各引出線６を一定の間隔に配置する。ガイド溝６２の間隔は、先端のコネクタ６９に連結している引出線６の間隔とほぼ等しくすることができる。この位置決め機構６０は、コネクタ６９に連結している各引出線６を、コネクタ６９の近傍で速やかにガイド溝６２に案内できる。それは、コネクタ６９を介して複数の引出線６をガイド溝６２の間隔に配置できるので、複数の引出線６をガイド溝６２に押し込んで、全ての引出線６を簡単にガイド溝６２に挿入できるからである。
【００５３】
ガイド溝６２は、引出線６を挿入できる深さと幅を有すると共に、上端開口６３を引出線６の太さよりもやや狭くして、ここに挿入される引出線６が外部に抜けるのを防止している。図１２と図１３に示すガイド溝６２は、櫛状リブ６１の上端部を内側に突出する形状に形成して上端開口６３を狭くしている。このガイド溝６２は、上端開口６２の開口幅を引出線６の外形よりも小さく、かつ、引出線６の芯線６ａの太さよりも大きくしている。このガイド溝６２は、上端開口６３から引出線６を押し込むことで、引出線６を簡単に挿入できると共に、ガイド溝６２に挿入した状態では、引出線６をガイド溝６２に沿って摺動させることができる。
【００５４】
さらに、図１２と図１３に示す位置決め機構６０は、ガイド溝６２の回路基板５側であって、基板収納部２６との境界である区画壁３３に、引出線６の外周面に沿う円形溝６４を設けている。このように、回路基板側の端面に形成される円形溝６４は、ここに挿通される引出線６との隙間を狭くできるので、樹脂モールド部４の成形時に成形室となる基板収納部２６に充填される溶融樹脂がガイド溝６２から外部に漏れるのを有効に防止できる。さらに、図に示すホルダーケース２は、引出線６が引き出される側の周壁３０と位置決め機構６０との間に引出線６を通過させる引き出し凹部６６を設けている。
【００５５】
以上の位置決め機構６０は、上端開口６３からそれぞれのガイド溝６２に引出線６を挿入する状態で、引出線６を軸方向に摺動できるようにしている。この位置決め機構６０は、コネクタ６９の近傍で引出線６をガイド溝６２に挿入した後、コネクタ６９をガイド溝６２から遠ざける方向に移動させて、ホルダーケース２から引き出される引出線６の長さが所定の長さとなるように調整する。複数の引出線６は、ホルダーケース２から所定の長さが引き出された状態で、先端部が回路基板５に半田付けして接続される。さらに、位置決め機構６０は、回路基板４にハンダ付けされる引出線６の先端部を回路基板５との接続部分まで移動させた状態で、複数の引出線６を一定の間隔に配置する。回路基板４には、図１１に示すように、位置決め機構６０で一定の間隔に保持される引出線６の先端部をハンダ付けできる位置に、複数の接続部５５を設けている。複数の接続部５５の間隔は、位置決め機構６０が引出線６を配置する間隔に等しいので、各引出線６の先端をハンダ付けする接続部５５に配置して、各引出線６を能率よくハンダ付けできる。位置決め機構６０を介して回路基板５の定位置に接続された複数の引出線６は、回路基板５が絶縁成形樹脂に埋設される状態で固定されて、樹脂モールド部４から外部に引き出される。
【００５６】
以上の位置決め機構６０は、ホルダーケース２に一体成形して設けている。ただ、位置決め機構６０は、ホルダーケース２と別部材の位置決めホルダとして、ホルダーケースに連結して固定することもできる。この位置決めホルダは、前述の位置決め機構と同様の形状とすることができ、ホルダーケースには、位置決めホルダを定位置に配置する連結部を設けることができる。この位置決めホルダは、例えば、回路基板の定位置に固定した状態で、引出線を接続し、その後、ホルダーケースの基板収納部に回路基板を配置してホルダーケースの定位置に配置することができる。
【００５７】
（外装シート８）
さらに、電池パック１００は、二次電池セル１の周囲を外装シート８で被覆している。図１の電池パック１００は、ホルダーケース２のフレーム部２７に収納された二次電池セル１とフレーム部２７とを外装シート８で被覆して固定している。この外装シート８は絶縁シートで、二次電池セル１の外周を絶縁しながら、フレーム部２７と二次電池セル１とを強固に連結している。
【００５８】
以上の電池パック１００は、以下のようにして製造される。
（１）回路基板５に保護素子７であるブレーカ７１を接続する。回路基板５は、図５に示すように、長手方向の両端部であって、二次電池セル１の端子面１Ｘと対向する部分にブレーカ７１が固定される。ブレーカ７１は、図９と図１０に示すように、回路基板５の端部に設けた切欠部５１に配置されると共に、本体部７１Ｘの両端から突出するリード板７１Ａ、７１Ｂが回路基板５に設けた接続プレート５３に接続される。
【００５９】
（２）回路基板５をホルダーケース２に配置する。回路基板５は、ホルダーケース２の基板収納部２６に案内されて、図８に示すように、連結機構１９を介して係止構造で定位置にセットされる。
【００６０】
（３）ホルダーケース２にセットされた回路基板５に引出線６を接続する。図４と図６に示す引出線６は、他端にコネクタ６９を備えており、コネクタ側の中間部を位置決め機構６０のガイド溝６２に挿入した後、コネクタ６９をガイド溝６２から遠ざける方向に移動させて引出線６の長さを調整する。この状態で、複数の引出線６の先端部が回路基板５に半田付けして接続される。
【００６１】
（４）ホルダーケース２の電池収納部２５に二次電池セル１を配置する。図５に示すホルダーケース２は、両端部にフレーム部２７を備えており、このフレーム部２７の内側に二次電池セル１をセットして定位置に配置する。２個の二次電池セル１は、端子面１Ｘが互いに対向する姿勢で配置される。
【００６２】
（５）二次電池セル１の端子面１Ｘに接続された一対の接続リード板１６を回路基板５に接続する。二次電池セル１は、図９に示すように、第１の電極１０Ａに接続された第１接続リード板１６Ａが、ブレーカ７１の表面に積層する状態で配置されて、回路基板５の第１接続ランド５２Ｂに接続され、第２の電極１０Ｂに接続された第２接続リード板１６Ｂが、回路基板５の第２接続ランド５２Ｂに接続される。
【００６３】
（６）ホルダーケース２の基板配置領域２２の開口部側を成形金型（図示せず）で閉塞して基板収納部２６の内部に成形室を成形する。この状態で、溶融された絶縁成形樹脂を樹脂注入ガイド２９の注入孔２９ａから注入して樹脂モールド部４を成形する。
【００６４】
（７）絶縁成形樹脂が硬化して、成形金型を脱型した後、ホルダーケース２のフレーム部２と二次電池セル１とを外装シート８で被覆する。
【００６５】
以上の電池パック１００は、対向する二次電池セル１を両端部に配置して、これ等の間に回路基板５を配置する構造としているが、電池パックは、複数の二次電池セルを端子面が同一平面に位置するように横に並べて配置し、複数の端子面と対向する位置に回路基板を配置することもできる。
【００６６】
さらに、以上の実施形態の電池パック１００は、２個の二次電池セル１をホルダーケース２の両端部に配置して、対向する二次電池セル１の間に回路基板５を配置する構造としたが、本発明の電池パックは、１個の二次電池セルを備えることも、３個以上の二次電池セルを備えることもできる。以下、本発明の他の実施形態に係る電池パックとして、１個の二次電池セル１を備える電池パック２００の一例を図１４に、また、４個の二次電池セル１を備える電池パック３００の一例を図１５にそれぞれ示している。ここで、図１４と図１５に示す電池パック２００、３００は、樹脂モールド部と外装シートを除いた状態を示している。また、これ等の図に示す実施形態において、前述の実施形態と同じ構成要素については、同符号を付してその詳細な説明は省略している。
【００６７】
図１４に示す電池パック２００は、ホルダーケース２Ｂが、１個の二次電池セル１が配置されるフレーム部２７Ｂで構成される電池配置領域２１Ｂと、この二次電池セル１の端子面１Ｘに沿って回路基板５Ｂが配置される基板配置領域２２Ｂとを備えている。図に示す基板配置領域２２Ｂは、中空部を設けることなく、樹脂成形領域２３Ｂのみを設けており、この樹脂成形領域２３Ｂを基板収納部２６Ｂとして回路基板５Ｂを配置している。ただ、ホルダーケースは、図の鎖線で示すように、基板収納部の設計変更等により領域を広くする場合に中空部を設けることもできる。図の回路基板５Ｂは、ホルダーケース２Ｂの短手方向に延在された形状としており、二次電池セル１の端子面１Ｘと対向する側縁部に保護素子７であるブレーカ７１を実装している。また、この電池パック２００は、ホルダーケース２Ｂの周壁３０Ｂに設けた位置決め機構６０Ｂを介して複数の引出線６を回路基板５Ｂの定位置に接続すると共に、コネクタ６９を接続した引出線６を外部に引き出す構造としている。
【００６８】
さらに、図１５に示す電池パック３００は、ホルダーケース２Ｃが、両端部にそれぞれ２個ずつの二次電池セル１が配置されるフレーム部２７Ｃで構成される電池配置領域２１Ｃを有すると共に、これらの電池配置領域２１Ｃの間に基板配置領域２２Ｃを設けて回路基板５を配置している。電池配置領域２１Ｃは、２個の二次電池セル１を収納できるように、３辺を囲う周壁３０Ｃと、隣接する二次電池セル１の間に配置される中間壁４０とで、２つの電池収納部２５を形成している。さらに、基板配置領域２２Ｃは、樹脂モールド部が形成される樹脂成形領域２３Ｃと、中空領域２４Ｃとが形成されている。図１５に示す電池パック３００は、図において前方に配置される２個の二次電池セル１の間に基板収納部２６を設けて回路基板５を配置し、図において後方に配置される２個の二次電池セル１の間には回路基板を配置することなく、ほぼ全体を中空領域２４Ｃとしている。
【００６９】
また、図１５に示す電池パック３００においては、前方に配置される２個の二次電池セル１の端子面１Ｘと対向する位置に回路基板５を配置し、後方に配置される２個の二次電池セル１は、延長リード板１７を介して回路基板５に接続する構造としている。この電池パック３００は、延長リード板１７が配置される領域を樹脂成形領域２３Ｃとして、絶縁成形樹脂を充填することで、後方に配置される二次電池セル１の端子面１Ｘ及び延長リード板１７を樹脂モールド部にインサートして固定できる。
【００７０】
以上、本発明の実施形態乃至実施例を図面に基づいて説明した。ただ、上記の実施形態乃至実施例は、本発明の技術思想を具体化するための例示であって、本発明は上記のものに特定されない。また、本明細書は特許請求の範囲に示される部材を、実施形態の部材に特定するものでは決してない。特に実施形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以上の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【産業上の利用可能性】
【００７１】
本発明の電池パックは、薄型の二次電池セルと回路基板を同一平面に配置して強固に連結できるので、薄くて高電圧や高電池容量の電池パックが要求されるノート型パソコンやタブレットなどの携帯電子機器に好適に使用される。
【符号の説明】
【００７２】
１００、２００、３００…電池パック
１…二次電池セル
１Ａ…主面
１Ｘ…端子面
２、２Ｂ、２Ｃ…ホルダーケース
４…樹脂モールド部５、５Ｂ…回路基板
６…引出線
６ａ…芯線
７…保護素子
８…外装シート
１０…電極
１０Ａ…第１電極
１０Ｂ…第２電極
１１…外装缶
１２…封口板
１３…凸部電極
１４…クラッド板
１５…安全弁
１６…接続リード板
１６Ａ…第１接続リード板
１６Ｂ…第２接続リード板
１７…延長リード板
１９…連結機構
２１、２１Ｂ、２１Ｃ…電池配置領域
２２、２２Ｂ、２２Ｃ…基板配置領域
２３、２３Ｂ、２３Ｃ…樹脂成形領域
２４、２４Ｃ…中空領域
２５…電池収納部
２６、２６Ｂ…基板収納部
２７、２７Ｂ、２７Ｃ…フレーム部
２８…中空室
２９…樹脂注入ガイド
２９ａ…注入孔
３０、３０Ｂ、３０Ｃ…周壁
３１…表面プレート
３２…底面プレート
３３…区画壁
３４…補強リブ
３５…保持壁
３６…係止リブ
３６ａ…垂直リブ
３６ｂ…水平リブ
３７…係止フック
３８…突出片
３９…通路壁
４０…中間壁
４１…溝部
４２…遮蔽溝
５１…切欠部
５２…接続ランド
５２Ａ…第１接続ランド
５２Ｂ…第２接続ランド
５３…接続プレート
５３Ａ…第１接続プレート
５３Ｂ…第２接続プレート５４…接続ライン
５５…接続部
５６…係止部
５６ａ…スリット凹部
５６ｂ…係止凹部
６０、６０Ｂ…位置決め機構
６１…櫛状リブ
６２…ガイド溝
６３…上端開口
６４…円形溝
６６…引き出し凹部
６９…コネクタ
７１…ブレーカ
７１Ａ…リード板
７１Ｂ…リード板
７１Ｘ…本体部
７２…ヒューズ
９９…遮蔽リブ
【図１】
2017104108.tif 000003
【図２】
2017104108.tif 000004
【図３】
2017104108.tif 000005
【図４】
2017104108.tif 000006
【図５】
2017104108.tif 000007
【図６】
2017104108.tif 000008
【図７】
2017104108.tif 000009
【図８】
2017104108.tif 000010
【図９】
2017104108.tif 000011
【図１０】
2017104108.tif 000012
【図１１】
2017104108.tif 000013
【図１２】
2017104108.tif 000014
【図１３】
2017104108.tif 000015
【図１４】
2017104108.tif 000016
【図１５】
2017104108.tif 000017
【国際調査報告】
2017104108.tif 000018
2017104108.tif 000019
2017104108.tif 000020
2017104108.tif 000021